【手続補正書】
【提出日】平成16年10月15日(2004.10.15)
【手続補正１】
【補正対象書類名】明細書
【補正対象項目名】特許請求の範囲
【補正方法】変更
【補正の内容】
【特許請求の範囲】
【請求項１】
被記録媒体に対して記録ヘッドを相対的に移動させながら、前記被記録媒体に前記記録ヘッドから少なくともインクを吐出して記録を行うインクジェット記録装置において、
異なる複数の被記録媒体に対応し、かつ前記相対移動の速度が異なる複数の記録モードの中から選択された記録モードで記録を行う制御手段を備え、
前記相対移動の速度が相対的に速い第１の記録モードは、前記相対移動の速度が相対的に遅い第２の記録モードに比べて１画素当たりのインク打ち込み量が少なく、且つ前記インクの他に当該インク中の色材を不溶化または凝集させる処理液を吐出することを特徴とするインクジェット記録装置。
【請求項２】
前記第１の記録モードにおいては、サイズ剤が実質的に無く、アルミナ粒子が含有されている被記録媒体を用いることを特徴とする請求項１に記載のインクジェット記録装置。
【請求項３】
前記第１の記録モードにおいては、インクのＰＰＣ用紙に対する浸透性が、Ｋａ値が１ｍｌ・ｍ−２・ｍｓｅｃ−１／２未満であるインクを用いた場合に、Ｋａ値が５ｍｌ・ｍ−２・ｍｓｅｃ−１／２以上である被記録媒体を用いることを特徴とする請求項１に記載のインクジェット記録装置。
【請求項４】
被記録媒体にインクを吐出して記録を行うインクジェット記録装置において、
サイズ剤が実質的に無く、アルミナ粒子が含有されている被記録媒体またはインクの普通紙に対する浸透性が、Ｋａ値が１ｍｌ・ｍ−２・ｍｓｅｃ−１／２未満であるインクを用いた場合に、Ｋａ値が５ｍｌ・ｍ−２・ｍｓｅｃ−１／２以上である被記録媒体を用いる高速吸収紙記録モードと、普通紙を用いる普通紙記録モードを実行可能な制御手段を具え、
前記制御手段は、前記普通紙モードに比べて、前記高速吸収紙記録モードにおいて、１画素当たりのインク打ち込み量を少なくすることを特徴とするインクジェット記録装置。
【請求項５】
前記高速吸収紙記録モードは、前記普通紙記録モードに比べ、記録を行なう際の記録ヘッドと被記録媒体との相対移動速度が速いことを特徴とする請求項４に記載のインクジェット記録装置。
【請求項６】
前記高速吸収紙記録モードでは、ブラック画像はブラックインクと、該ブラックインクと反応する他の液体との混合によって形成されることを特徴とする請求項５に記載のインクジェット記録装置。
【請求項７】
前記高速吸収紙記録モードは少なくとも２つ以上のモードを含み、１つは、ブラック画像をブラックインクと、ブラックインクインクと反応する他の液体との混合によって形成し、他方は、ブラック画像をブラックインクのみによって形成することを特徴とする請求項５または６に記載のインクジェット記録装置。
【請求項８】
ブラックインクは、普通紙に対するブリストー法によるＫａ値が１ｍｌ・ｍ−２・ｍｓｅｃ−１／２未満であることを特徴とする請求項５ないし７のいずれかに記載のインクジェット記録装置。
【請求項９】
ブラックインクは顔料を含むことを特徴とする請求項５ないし８のいずれかに記載のインクジェット記録装置。
【請求項１０】
前記普通紙記録モードでは、所定サイズのインク滴による記録を行ない、前記高速吸収紙記録モードでは、前記所定サイズより小さなインク滴による記録を行うことを特徴とする請求項５ないし９のいずれかに記載のインクジェット記録装置。
【請求項１１】
同じインクを相対的に大液滴及び小液滴で吐出させることのできる記録ヘッドを用いることを特徴とする請求項１０に記載のインクジェット記録装置。
【請求項１２】
被記録媒体にインクを吐出して記録を行うインクジェット記録装置において、
ＰＰＣ用紙に対するインクの浸透性が、Ｋａ値が１ｍｌ・ｍ−２・ｍｓｅｃ−１／２未満であるインクを用いた場合に、Ｋａ値が５ｍｌ・ｍ−２・ｍｓｅｃ−１／２以上である被記録媒体に対して、１画素当たりのインクの打ち込み量が、２．８×１０−３ｐｌ／μｍ２〜８．４×１０−３ｐｌ／μｍ２であることを特徴とするインクジェット記録装置。
【請求項１３】
被記録媒体にインクを吐出して記録を行うインクジェット記録装置において、
実質的にサイズ剤がなく、アルミナ粒子が含有されている媒体である被記録媒体に対して、１画素当たりのインクの打ち込み量が、２．８×１０−３ｐｌ／μｍ２〜８．４×１０−３ｐｌ／μｍ２であることを特徴とするインクジェット記録装置。
【請求項１４】
前記被記録媒体に対して、１画素に当たりのカラーインクの打ち込み量は、２．２×１０−３ｐｌ／μｍ２〜５．６×１０−３ｐｌ／μｍ２であることを特徴とする請求項１２または１３に記載のインクジェット記録装置。
【請求項１５】
被記録媒体に対して記録ヘッドを相対的に移動させながら、前記被記録媒体に前記記録ヘッドから少なくともインクを吐出して記録を行うインクジェット記録方法において、
異なる複数の被記録媒体に対応し、かつ前記相対移動の速度が異なる複数の記録モードの中から選択された記録モードで記録を行う記録工程を有し、
前記相対移動の速度が相対的に速い第１の記録モードは、前記相対移動の速度が相対的に遅い第２の記録モードに比べて１画素当たりのインク打ち込み量が少なく、且つ前記インクの他に当該インク中の色材を不溶化または凝集させる処理液を吐出することを特徴とするインクジェット記録方法。
【請求項１６】
前記第１の録モードにおいては、サイズ剤が実質的に無く、アルミナ粒子が含有されている被記録媒体、あるいはインクの普通紙に対する浸透性が、Ｋａ値が１ｍｌ・ｍ−２・ｍｓｅｃ−１／２未満であるインクを用いた場合に、Ｋａ値が５ｍｌ・ｍ−２・ｍｓｅｃ−１／２以上である被記録媒体を用いることを特徴とする請求項１５に記載のインクジェット記録方法。
【請求項１７】
被記録媒体にインクを吐出して記録を行うインクジェット記録方法において、
サイズ剤が実質的に無く、アルミナ粒子が含有されている被記録媒体またはインクの普通紙に対する浸透性が、Ｋａ値が１ｍｌ・ｍ−２・ｍｓｅｃ−１／２未満であるインクを用いた場合に、Ｋａ値が５ｍｌ・ｍ−２・ｍｓｅｃ−１／２以上である被記録媒体を用いる高速吸収紙記録モードと、普通紙を用いる普通紙記録モードを含む複数の記録モードの中から選択した記録モードを実行する工程を有し、
前記高速吸収紙記録モードは、普通紙モードに比べて、１画素当たりのインク打ち込み量が少ないことを特徴とするインクジェット記録方法。
【請求項１８】
前記高速吸収紙記録モードは、前記普通紙記録モードに比べ、記録を行なう際の記録ヘッドと被記録媒体との相対移動速度が速いことを特徴とする請求項１７に記載のインクジェット記録方法。
【請求項１９】
被記録媒体にインクを吐出して記録を行なうインクジェット記録方法において、
ＰＰＣ用紙に対するインクの浸透性が、Ｋａ値が１ｍｌ・ｍ−２・ｍｓｅｃ−１／２未満であるインクを用いた場合に、Ｋａ値が５ｍｌ・ｍ−２・ｍｓｅｃ−１／２以上である被記録媒体に対して、１画素当たりのインクの打ち込み量が、２．８×１０−３ｐｌ／μｍ２〜８．４×１０−３ｐｌ／μｍ２であることを特徴とするインクジェット記録方法。
【請求項２０】
被記録媒体にインクを吐出して記録を行なうインクジェット記録方法において、
実質的にサイズ剤がなく、アルミナ粒子が含有されている媒体である被記録媒体に対して、１画素当たりのインクの打ち込み量が、２．８×１０−３ｐｌ／μｍ２〜８．４×１０−３ｐｌ／μｍ２であることを特徴とするインクジェット記録方法。
【手続補正２】
【補正対象書類名】明細書
【補正対象項目名】０００８
【補正方法】変更
【補正の内容】
【０００８】
【課題を解決するための手段】
そのために、本発明では、被記録媒体に対して記録ヘッドを相対的に移動させながら、前記被記録媒体に前記記録ヘッドから少なくともインクを吐出して記録を行うインクジェット記録装置において、異なる複数の被記録媒体に対応し、かつ前記相対移動の速度が異なる複数の記録モードの中から選択された記録モードで記録を行う制御手段を備え、前記相対移動の速度が相対的に速い第１の記録モードは、前記相対移動の速度が相対的に遅い第２の記録モードに比べて１画素当たりのインク打ち込み量が少なく、且つ前記インクの他に当該インク中の色材を不溶化または凝集させる処理液を吐出することを特徴とする。
【手続補正３】
【補正対象書類名】明細書
【補正対象項目名】０００９
【補正方法】変更
【補正の内容】
【０００９】
好ましくは、前記第１の記録モードにおいては、サイズ剤が実質的に無く、アルミナ粒子が含有されている被記録媒体を用いることを特徴とする。
【手続補正４】
【補正対象書類名】明細書
【補正対象項目名】００１０
【補正方法】変更
【補正の内容】
【００１０】
または、前記第１の記録モードにおいては、インクのＰＰＣ用紙に対する浸透性が、Ｋａ値が１ｍｌ・ｍ−２・ｍｓｅｃ−１／２未満であるインクを用いた場合に、Ｋａ値が５ｍｌ・ｍ−２・ｍｓｅｃ−１／２以上である被記録媒体を用いることを特徴とする。
【手続補正５】
【補正対象書類名】明細書
【補正対象項目名】００１１
【補正方法】変更
【補正の内容】
【００１１】
本発明の別の形態では、被記録媒体にインクを吐出して記録を行うインクジェット記録装置において、サイズ剤が実質的に無く、アルミナ粒子が含有されている被記録媒体またはインクの普通紙に対する浸透性が、Ｋａ値が１ｍｌ・ｍ−２・ｍｓｅｃ−１／２未満であるインクを用いた場合に、Ｋａ値が５ｍｌ・ｍ−２・ｍｓｅｃ−１／２以上である被記録媒体を用いる高速吸収紙記録モードと、普通紙を用いる普通紙記録モードを実行可能な制御手段を具え、前記制御手段は、前記普通紙モードに比べて、前記高速吸収紙記録モードにおいて、１画素当たりのインク打ち込み量を少なくすることを特徴とする。
【手続補正６】
【補正対象書類名】明細書
【補正対象項目名】００１２
【補正方法】変更
【補正の内容】
【００１２】
また、被記録媒体に対して記録ヘッドを相対的に移動させながら、前記被記録媒体に前記記録ヘッドから少なくともインクを吐出して記録を行うインクジェット記録方法において、異なる複数の被記録媒体に対応し、かつ前記相対移動の速度が異なる複数の記録モードの中から選択された記録モードで記録を行う記録工程を有し、前記相対移動の速度が相対的に速い第１の記録モードは、前記相対移動の速度が相対的に遅い第２の記録モードに比べて１画素当たりのインク打ち込み量が少なく、且つ前記インクの他に当該インク中の色材を不溶化または凝集させる処理液を吐出することを特徴とする。
【手続補正７】
【補正対象書類名】明細書
【補正対象項目名】００１３
【補正方法】変更
【補正の内容】
【００１３】
好ましくは、前記第１の録モードにおいては、サイズ剤が実質的に無く、アルミナ粒子が含有されている被記録媒体、あるいはインクの普通紙に対する浸透性が、Ｋａ値が１ｍｌ・ｍ−２・ｍｓｅｃ−１／２未満であるインクを用いた場合に、Ｋａ値が５ｍｌ・ｍ−２・ｍｓｅｃ−１／２以上である被記録媒体を用いることを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
本発明の別の形態では、被記録媒体にインクを吐出して記録を行うインクジェット記録方法において、サイズ剤が実質的に無く、アルミナ粒子が含有されている被記録媒体またはインクの普通紙に対する浸透性が、Ｋａ値が１ｍｌ・ｍ−２・ｍｓｅｃ−１／２未満であるインクを用いた場合に、Ｋａ値が５ｍｌ・ｍ−２・ｍｓｅｃ−１／２以上である被記録媒体を用いる高速吸収紙記録モードと、普通紙を用いる普通紙記録モードを含む複数の記録モードの中から選択した記録モードを実行する工程を有し、前記高速吸収紙記録モードは、普通紙モードに比べて、１画素当たりのインク打ち込み量が少ないことを特徴とする。
【手続補正１０】
【補正対象書類名】明細書
【補正対象項目名】００１６
【補正方法】変更
【補正の内容】
【００１６】
以上の構成によれば、相対移動の速度が異なる複数の記録モードを実行する場合に、相対移動の速度がより速い第１記録モードにおいては、より相対速度が遅い第２の記録モードに比べ、１画素当たりのインク打ち込み量を小さくし、かつ、少なくともブラックの記録では記録ヘッドからブラックインクと該インクを不溶化する処理液を吐出し、好ましくは、上記相対移動の速度がより速い記録モードにおいては、サイズ剤が実質的に無く、アルミナ粒子が含有されている被記録媒体、またはＰＰＣ用紙に対するインクの浸透性が、Ｋａ値が１ｍｌ・ｍ−２・ｍｓｅｃ−１／２未満であるインクを用いた場合に、Ｋａ値が５ｍｌ・ｍ−２・ｍｓｅｃ−１／２以上である被記録媒体、すなわち高速吸収紙を用いるので、インク打ち込み量が小さくてもインク色材は被記録媒体の表層に多くが留まり、また、インクの溶媒は比較的速く浸透する。これにより、上記記録モードでは、濃度が高くかつ高速の記録を行なうことができる。一方、上記の高速吸収紙でなく、普通紙などの被記録媒体を用いる場合でも、インクを不溶化する処理液を用いているので、その色材を同様に被記録媒体の表層に多くを留めることができ、濃度の高い記録を行なうことができる。
【手続補正１１】
【補正対象書類名】明細書
【補正対象項目名】０２４５
【補正方法】変更
【補正の内容】
【０２４５】
【発明の効果】
以上の説明から明らかなように、本発明によれば、相対移動の速度が異なる複数の記録モードを実行する場合に、相対移動の速度がより速い第１記録モードにおいては、より相対速度が遅い第２の記録モードに比べ、１画素当たりのインク打ち込み量を小さくし、かつ、少なくともブラックの記録では記録ヘッドからブラックインクと該インクを不溶化する処理液を吐出し、好ましくは、上記相対移動の速度がより速い記録モードにおいては、サイズ剤が実質的に無く、アルミナ粒子が含有されている被記録媒体、またはＰＰＣ用紙に対するインクの浸透性が、Ｋａ値が１ｍｌ・ｍ−２・ｍｓｅｃ−１／２未満であるインクを用いた場合に、Ｋａ値が５ｍｌ・ｍ−２・ｍｓｅｃ−１／２以上である被記録媒体、すなわち高速吸収紙を用いるので、インク打ち込み量が小さくてもインク色材は被記録媒体の表層に多くが留まり、また、インクの溶媒は比較的速く浸透する。これにより、上記記録モードでは、濃度が高くかつ高速の記録を行なうことができる。一方、上記の高速吸収紙でなく、普通紙などの被記録媒体を用いる場合でも、インクを不溶化する処理液を用いているので、その色材を同様に被記録媒体の表層に多くを留めることができ、濃度の高い記録を行なうことができる。